Podtech/llm-jp-corpus-v4-ja_patent huggingface dataset:
(57)【要約】      （修正有）【課題】緊張などによる手のゆるみを防止し、正確なパッティングをうみだすゴルフパターのグリップを提供する。【解決手段】従来のパターグリップより、より大きな太さと真円形にすることにより、左右の手の均等かつ一体感を持たせる。さらに、グリップの重量を重くすることにより、バランスを良くする。【選択図】図１
2005246022.tif 000002
【特許請求の範囲】
【請求項１】
ゴルフ用のパターにおいて、グリップの大きさを直径５ｃｍ、４ｃｍ、３ｃｍ（３種類）の真円形に、長さを２０ｃｍ、うち１３ｃｍは同じ太さにし、先端の５ｃｍは円錐台形に元の部分を少し太くすることによって、両手の親指の先をずらすことなくグリップ上で同じ位置に置き、同時に両手の指を互いにさしこむことが可能となることが特徴で、両手の保持、安定が著しく向上し、正確なパッティングが期待出来るものである。
【発明の詳細な説明】
【技術分野】
【０００１】  この発明は、ゴルフパターのグリップに関する。
【背景技術】
【０００２】  パターでボールを打つ時、安定、正確を増すためにパターのグリップは重要である。
【発明の開示】
【発明が解決しようとする課題】
【０００３】  パターによって、いかにボールを自分の目標としている場所に正確に打ちだすことが出来るか。
【課題を解決するための手段】
【０００４】  従来のパターグリップより、より大きな太さと真円形にすることにより、左右の手の均等かつ一体感を持たせることが出来る。
【発明の効果】
【０００５】  左右の手が均等かつ一体感を持っているので、緊張などによる手のゆるみを防止し、正確なパッティングが期待出来る。
【発明を実施するための最良の形態】
【０００６】  従来のグリップを大きくするだけでなく、重くする。
【実施形態の効果】
【０００７】  グリップの重量を重く（従来の４倍）することにより、バランスが非常に良くなる。
【他の実施形態】
【０００８】  従来のパターのグリップを大きくしただけではバランスが非常に悪く、安定したグリップが保たれない。
【図面の簡単な説明】
【０００９】
【図１】この発明の一実施形態を示す、横から見た断面図である。
【図２】この発明の一実施形態を示す、上から見た断面図である。
【図３】従来の技術を示す、横から見た断面図である。
【図４】この発明の一実施形態を示す斜視図である。
【図５】この発明の一実施形態を示す、自分側から見た斜視図である。
【図６】この発明の一実施形態を示す、裏側から見た斜視図である。
【符号の説明】
【００１０】  １  グリップ
２  シャフト
【図１】
2005246022.tif 000003
【図２】
2005246022.tif 000004
【図３】
2005246022.tif 000005
【図４】
2005246022.tif 000006
【図５】
2005246022.tif 000007
【図６】
2005246022.tif 000008
【手続補正書】
【提出日】平成16年12月21日(2004.12.21)
【手続補正１】
【補正対象書類名】特許請求の範囲
【補正対象項目名】請求項１
【補正方法】変更
【補正の内容】
【請求項１】
ゴルフ用のパターにおいて、グリップの大きさを直径３ｃｍから４．４４５ｃｍの真円形に、長さを１８ｃｍ、うち１３ｃｍは同じ太さにし、先端の５ｃｍは円錐台形にすることによって、両手の親指の先をずらすことなくグリップ上で同じ位置に置き、同時に両手の指を互いにさしこむことが可能となることが特徴で、両手の保持、安定が著しく向上し、正確なパッティングが期待出来るものである。
【手続補正２】
【補正対象書類名】図面
【補正対象項目名】全図
【補正方法】変更
【補正の内容】
【図１】
2005246022.tif 000009
【図２】
2005246022.tif 000010
【図３】
2005246022.tif 000011
【図４】
2005246022.tif 000012
【図５】
2005246022.tif 000013
【図６】
2005246022.tif 000014
(57)【要約】【課題】  本発明は，物干し竿に取り付けた２つの固定具とこれらの固定具によって作られる物干し竿に平行な４本のロープによって構成される，ロープを利用した洗濯物飛散防止装置に関するものである。【解決手段】  洗濯物が充分に掛けられるだけの間隔をとって固定具Ａ，Ｂを物干し竿に取り付け，伸縮性ロープ（１９）の端（２０）を穴（１）から穴（３）へ，端（２１）を穴（２）から穴（４）へぴんと張って固定具Ｂの裏側で結んで固定する。次に端（２０）を穴（８）からロープを引っ掛けるための切れ込み（６）へ，端（２１）を穴（７）から切れ込み（５）にぴんと張り，この時ロープ（１９）を上に折り曲げて物干し竿の頂点付近で結ぶ。【選択図】図１
2005246021.tif 000002
【特許請求の範囲】
【請求項１】
（イ）物干し竿に取り付けるための半円のくぼみ（物干し竿取り付け部１７の片割れ）を設ける。
（ロ）ロープを引っ掛けるための切れ込み（５）を設ける。これは（１７）より下の位置で，（１７）とは反対の側から斜め上に向けて設ける。さらにこの切れ込み（５）の最奥部は，（１７）と接する中心線に平行な垂線を引いた場合において，この垂線よりも中心線側に達するようにしておく。
（ハ）穴（１）を設ける。これは切れ込み（５）よりも下で，上記の垂線に接するか，またはこの垂線よりも外側の位置に設ける。
（ニ）（イ）〜（ハ）までと同一の部品を一つ作り，両片をねじ（１０）とナット（９），ねじ（１２）とナット（１１）で物干し竿をはさむようにして固定する。この際，中心線が垂直となるようにする。これを固定具Ａとする。
さらに穴（１）に対称な穴を穴（２），ロープを引っ掛けるための切れ込み（５）に対称な切れ込みをロープを引っ掛けるための切れ込み（６）とする。
（ホ）物干し竿を取り付けるための半円のくぼみ（物干し竿取り付け部１８の片割れ）を設ける。
（ヘ）ロープを通す穴（７）を設ける。これは穴（７）を通って切れ込み（５）に達したロープが物干し竿に平行になるように位置をとる。
（ト）（７）よりも下の位置に穴（３）を設ける。これは穴（１）を通って穴（３）に達したロープが物干し竿に平行になるように位置をとる。
（チ）（ホ）〜（ト）までと同一の部品を一つ作り，両片をねじ（１４）とナット（１３），ねじ（１６）とナット（１５）で物干し竿をはさむようにして固定する。この際，中心線が垂直となるようにする。これを固定具Ｂとする。
さらに穴（３）に対称な穴を穴（４），穴（７）に対称な穴を穴（８）とする。
（リ）固定具Ａ，Ｂ間に渡す伸縮性ロープ（１９）を設ける。このロープの長さは固定具Ａ，Ｂ間の間隔の４倍以上の長さを必要とする。
（ヌ）穴（１）から穴（３）へ，穴（２）から穴（４）へ，穴（７）から切れ込み（５）へ，穴（８）から切れ込み（６）へ，それぞれ物干し竿に対して平行にロープ（１９）を張る。
以上の如く構成された，洗濯物飛散防止装置。
【発明の詳細な説明】
【技術分野】
【０００１】  本発明は，物干し竿にかけられた複数の洗濯物を，固定された２本のロープと可動する２本のロープを用いて，ワンタッチではさむための装置に関するものである。
【背景技術】
【０００２】  従来は，物干し竿にかけた複数の洗濯物を一度にはさみ，また一度に取り外せるといった物はなかった。
【発明の開示】
【発明が解決しようとする課題】
【０００３】  これまでは洗濯物の飛散防止のために１つの衣類等を１個〜２個の既存の洗濯バサミではさむ必要があり，また取り込む際にも洗濯バサミを１個ずつ取り外してはどこかに保管するという行動を繰り返さねばならず，全体において相当の手間と時間を要した。本発明はこの課題を解消するためになされたものである。
【課題を解決するための手段】
【０００４】  構成を説明すると
（イ）物干し竿に固定具Ａを取り付ける。この際には，物干し竿取り付け部（１７）をあてがって中心線が垂直になるようにし，ねじ（１０）とナット（９）およびねじ（１２）とナット（１１）をバランスよく締め付けて固定具Ａを固定する。
（ロ）固定具Ｂは，固定具Ａから離れた，洗濯物を充分に掛けられるだけの間隔をとった位置を決め，ここに物干し竿取り付け部（１８）をあてがって中心線が垂直になるようにし，ねじ（１４）とナット（１３），ねじ（１６）とナット（１５）をバランスよく締め付けて固定具Ｂを固定する。
（ハ）伸縮性ロープ（１９）を固定具Ａ，Ｂに通す。この際には端（２０）を穴（１）に，端（２１）を穴（２）に，それぞれ固定具Ｂの反対側の面から通す。続いて端（２０）を穴（３）に，端（２１）を穴（４）に，それぞれ固定具Ａ側の面から通す。
（ニ）ロープ（１９）をぴんと張った状態で，図３のようにロープ（１９）を一重に結び，ロープ（１９）がたるまないようにする。
（ホ）端（２０）を穴（８）に，端（２１）を穴（７）に，固定具Ａの反対側の面から通す。続いて穴（８）と穴（７）を通ってきたロープ（１９）を，ロープを引っ掛けるための切れ込み（６）と（５）にそれぞれぴんと張った状態でひっかけ，その状態のままロープ（１９）を上方に曲げ，固定具Ａ，Ｂ間のロープがたるまないように保ったままロープ（１９）を物干し竿の上で結ぶ。
以上のように装置する。
【発明を実施するための最良の形態】
【０００５】本案は以上のような構造であるから，これを使用するときは
（イ）ロープを引っ掛けるための切れ込み（５），（６）から伸縮性ロープ（１９）をはずし，固定具Ｂ付近に持って来ておく。
（ロ）干すべき洗濯物を物干し竿の固定具ＡとＢの間に掛け終えたら，Ｂ付近に置いてあったロープ（１９）を持ち，物干し竿の上側から，洗濯物全部にかぶせるようにして固定具Ａの（５）と（６）にロープ（１９）をひっかける。
以上の操作だけでよい。また洗濯物を取り込む際には，ロープ（１９）を固定具Ａの（５）と（６）から外してしまえば，全ての洗濯物がすぐに取り込める状態になるのである。
【発明の効果】
【０００６】（イ）複数の洗濯物を一度にはさみ一度にはずせるので，手間・時間を大幅に省くことが出来る。
（ロ）物干し竿にかけた衣類等の内側に空間ができるので換気が充分におこなわれ，洗濯物が乾きやすい。
（ハ）今までの洗濯バサミが不要になり，よって
・不快な洗濯バサミの跡が衣類につかない。
・洗濯バサミを保管しておくカゴ等が不要になる。
【図面の簡単な説明】
【０００７】
【図１】  本発明の使用斜視図
【図２】  本発明の各部品正面図
【図３】  図１における，固定具Ｂの裏側の状態。
【符号の説明】
【０００８】  １〜４は伸縮性ロープを通すための穴
５〜６は伸縮性ロープを引っ掛けるための切れ込み
７〜８は伸縮性ロープを通すための穴
９，１１，１３，１５はナット
１０，１２，１４，１６はねじ
１７〜１８は物干し竿にあてがうための取り付け部
１９は伸縮性のロープ
２０〜２１は伸縮性ロープの両端
である。
【図１】
2005246021.tif 000003
【図２】
2005246021.tif 000004
【図３】
2005246021.tif 000005
(57)【要約】      （修正有）【課題】室内スポーツ競技で使用される粘着ラインテープの剥がしと巻取りを小型，軽量で，簡単な操作で誰でも使いこなせ、安全で楽しく容易に行なえる装置を提供する。【解決手段】巻取部８の両端に軸受けカップ７と回転伝達用カップ１０を固定用差し管１３で固定し、固定用差し管１３を支持する支持板９のメタル４と軸受けカップ７のメタル５に柄１を持つ主軸６を挿通し回転可能に支持する。回転伝達用カップ１０の回転伝達用六角軸１２に電動式モーターの回転力を伝えて巻き取り部８と軸受けカップ７と回転伝達用カップ１０を回転させる。使用方法は粘着テープの先端を巻取部に貼り付けて回転させて、粘着テープを引っ張って剥がしと巻取りを同時に行う。【選択図】図１
2005246025.tif 000002
【特許請求の範囲】
【請求項１】
プラスチックの両端に軸受け用カップをセットした円筒形の巻取り部、内腔のほぼ中央、左右カップに平行して円盤状の支持板を設け、この支持板の中心と左端カップの中心にメタルを設置し、これに主軸を通し巻取り部が軽く回転する範囲で柄に軸着し、右端カップの中心には回転伝達用六角軸を取付け、巻取り部に組み込みこの軸に充電式モーター又は、手動式ハンドルをセットする事により、連続巻取りを可能とした事を特徴とする室内スポーツ用粘着ラインテープの巻取り装置。
【発明の詳細な説明】
【発明の詳細な説明】
【技術分野】
【０００１】  本発明は、体育館等で使用されている室内スポーツ、軟式硬式テニス、バレーボール、等の競技終了後、粘着ラインテープを剥がし巻取る際に必要とする、粘着ラインテープの巻取り装置に関するものである。
【背景技術】
【０００２】  特開２０００−１４８５８は粘着でない布テープの巻取り機、特開５７−１４４１６４は情報処理用紙テープ巻取り方法、特開５７−４６５７０はテープ自動巻取り収納ケース等、公開されているが粘着テープの巻取りに関する物は無い。床上粘着ラインテープの剥がしと巻取りは、現状では時間を掛け木板等に４人〜５人の手作業で巻いている。
【発明が解決しょうとする課題】
【０００３】  従来室内スポーツ競技で必要とする粘着ラインテープは、クラブ単位でテープを保持しスポーツの種類が変わればラインもその都度変更、捨てる場合も有り予約時間迄にテープを剥がし終えなければならず、今の所巻取る器械が無いため手首の痛みを耐え乍木板等の手巻きしか出来ない点である。
【０００４】  本発明の目的とする所は小型、軽量で取扱いが簡単、男女問わず熟年者にも早くて楽しく容易に剥がしと巻取りが可能な装置を提供する事にある。
【課題を解決するための手段】
【０００５】  上記の目的を達成する為に、本発明はプラスチックの両端に軸受け用カップをセットした円筒形の巻取り部、内腔のほぼ中央に支持板を設け、この支持板の中心と左端カップの中心にメタルを設置し、これに主軸を通し巻取り部が軽く回転する範囲で柄に軸着し、右端カップの中心には回転伝達用六角軸を取付け、この軸に充電式モーター、又は手動式ハンドルも使用可能とした事を特徴とする室内スポーツ用粘着ラインテープの剥がしと巻取りを同時に行なう事ができる装置で達成される。
【発明を実施するための最良の形態】
【０００６】  本発明を具体的に説明する。図１は、本発明に係る室内スポーツ用粘着ラインテープの巻取装置を示す説明図である。【０００７】  軸受けカップ（７）の中心にメタル（４）をビス（３）で取付、巻取部（８）を差し管（１３）で軸受けカップ（７）にセットし、巻取り部（８）の中央に円盤状の支持板（９）を設置、この中心にメタル（５）をビス（３）で取付、主軸（６）に、ワッシャー（２）を入れ、メタル（４、５）に通し、ワッシャー（２）を入れ柄（１）に巻取り部が軽く回転する範囲で固定する。【０００８】  回転伝達カップ（１０）の中心に、締め付用ビス（１１）に、ワッシャー（２）を通し、回転伝達用六角軸（１２）を締め付け、巻取り部（８）に差し管（１４）で接続しこの六角軸に充電式のモーターをセットする。【０００９】  使用方法としては、左手で柄（１）を保持し、床に貼り付けて有る粘着テープの先端を、巻取部の（８）の上に貼り付け後、右側の回転伝達用六角軸（１３）に電動モーターを差し込み、ＯＮスイッチを押しながら、巻き取る量分のみ、歩行移動すれば粘着ラインテープの剥がしと同時に巻取る事が可能となる。
【発明の効果】
【０００１０】  小型・軽量で安全な装置で有り取扱い簡単、楽しく女性、男性問わず熟年者も使用可能な持ち運び容易で、楽に、時間短縮にもなり、手動式及び充電式電動化も可能、手首の痛み開放、チームの貢献度大となる。
【図面の簡単な説明】
【図１】本発明の室内スポーツ用ラインテープ巻取り装置内部構造の説明図。
【図２】本発明の室内スポーツ用ラインテープ巻取りの状態図。
【符号の説明】
１  柄
２  ワシャー
３  固定用皿ビス
４  メタル１
５  メタル２
６  主軸
７  軸受けカップ
８  巻取部
９  支持板
１０  回転伝達用カップ
１１  締め付け用ビス
１２  回転伝達用六角軸
１３、１４  固定用差し管
１５  充電式モーター
１６  ラインテープ
【図１】
2005246025.tif 000003
【図２】
2005246025.tif 000004
(57)【要約】【課題】      挟む能力を飛躍的に増進させたピンチを提供する。【解決手段】  ピンチに、突起と受口を設ける。【選択図】    図１
2005246026.tif 000002
【特許請求の範囲】
【請求項１】
ピンチ本体（１）のプレート部（２）に突起（３）を設け、他のプレート部（４）に突起（３）と嵌合する受け口（５）を設けたピンチ。
【発明の詳細な説明】
【発明の詳細な説明】
【技術分野】
【０００１】  本発明は、ピンチに突起とその受け口を設けたピンチに関するものである。
【背景技術】
【０００２】  （イ）洗濯ピンチは強風に弱く、洗濯物を滑落させることがある。
（ロ）台所で、食品の入ったポリ袋の切り口をピンチで塞ぎたいのに、ピンチは逃げるように滑り落ちることがある。
【発明が解決しようとする課題】
【０００３】  （イ）洗濯物を挟んだからには決して離さないぞという頼もしさが欲しい。
（ロ）新しい用途にも対応できる性能を与えたい。合成樹脂製の強靱で滑り易いポリフィルムの袋を、確実に挟み続けるピンチが欲しい。
【課題を解決するための手段】
【０００４】  上記目的を解決するために、ピンチ本体（１）のプレート部（２）に突起（３）を設け、残りのプレート部（４）に突起（３）と嵌合する受口（５）を設ける。ピンチに装備された、強力なバネの全圧力がプレートを経て突起の最尖端の一点に働くことになる。市販のピンチのバネ圧は１．５ｋｇ重程もあって、誠に頼もしい。
【発明を実施するための最良の形態】
【０００５】  （イ）ピンチも、ポリフィルムも、共に滑らかな合成樹脂製品なのに、袋の滑落は全くない。試みに二袋を、一つのピンチに挟ませたが全く不安はない。
（ロ）図１は強力突起の正面図で、ポリ袋対応品と考える。突起はプレートの最先で、１個で充分に働らける。
（ハ）図２の右図面は乾パン袋の切り口を一回だけ折り返した様子である、若しも２回折り返せばフィルムの８枚が重なつて突起の強圧を受け、袋の密封力を高めることになる。
【発明の効果】
【０００６】  本発明の強力ピンチは次のような利点がある。
（イ）合製樹脂のポリフィルム等を挾んでも滑らせたり、脱けたりすることが殆んど見られない。新しい用途が開かれた。
（ロ）物干し用ピンチは挾む力の飛躍的改善で使用個数が減り作業時間も減少する。
【図面の簡単な説明】
【図１】強力ピンチの正面図
【図２】強力ピンチの作業図
【符号の説明】
（１）本体  （２）プレート  （３）突起  （４）プレート  （５）受口
【図１】
2005246026.tif 000003
【図２】
2005246026.tif 000004
(57)【要約】【課題】    履いて歩行するだけでバランス神経を使い脳や身体能力の活性化に結びつきかつ、運動量を増加させえる健康補助履物を提供したい。【解決手段】  課題を解決するため履物の地面に接する底部分に楕円形の形状からなり足の指の付け根、間接部分が大きく突出した形状の楕円の底部分を形成した。この効果により  歩行するさい不安定になり  つま先立ちせねば為らなくなり神経を集中し体のバランス感覚や、筋肉の運動量を増加させる事に成功した。【選択図】    図１2005246024.tif 000003
2005246024.tif 000002
【特許請求の範囲】
【請求項１】
サンダル、スリッパ等の履物の地面に接地する底部分が大きく楕円形に形成された履物。
【発明の詳細な説明】
【発明の詳細な説明】
【０００１】  本発明は、サンダル、スリッパ等履物の底部つまり地面に接地する底部分が足のつま先部からかかとにかけ大きく湾曲した楕円形状の履物である。
【技術分野】
【０００２】  本発明は、Ａ４３Ｂ  ３／１０，  ３／１２，  １３／１４に属する発明である。
【背景技術】
【０００３】  従来の技術では、履きやすい利便性を求めたものであったが、本発明は、履きにくくすることで、歩行する最、体のバランスを取り足先に神経を使うことで脳や身体能力の活性化を図るとともに歩行時に使用する筋肉の運動量を大幅に増加させえる健康補助履物である。
【発明が解決しようとする課題】
【０００４】  履いて歩行するだけでバランス神経を使い脳や身体能力の活性化に結びつきかつ、運動量を増加させえる健康補助履物を提供したい。
【課題を解決するための手段】
【０００５】  課題を解決するために履物の地面に接する底部分に楕円形の形状からなり足の指の付け根、間接部分が大きく突出した形状の楕円の底部分を形成した。この事により  つま先立ちせねば為らなくなり神経を集中し体のバランス感覚や、筋肉の運動量を増加させることに成功した。又、底部の楕円形の大きさは本発明の性能を左右する事から多数の品質を提供できる為ここでは、大きさ又角度を明記しない。
【発明を実施するための最良の形態】
【０００６】  本発明の履物の底部分には硬めのクッション性の材料を使用し更に底部分には滑り止めのためにゴム製の底部分を貼り付けた。又底部、足の指の付け根、間接部分の突出の大きさは大きいほどつま先立ちせねば為らなく歩行し難さに比例する為大きくな楕円が望ましい。又、底部楕円形の大きさは本発明の製品性能を左右するため色々なタイプを製造できる  この事からここでは、底部楕円形の大きさ、角度を明記しない。
【発明の効果】
本発明の効果により歩行するさい必ずつま先立ちしなければ為らなく常に足先に緊張感とバランスをとっている事を体感する事が出来た。又爪先立ちで歩行する為  全身の筋肉の運動量の増加を体感する事が出来た。
【図面の簡単な説明】
【図１】    本発明の断面図である。
【図２】    本発明の側面図である。
【図３】    本発明の正面図である。  尚、履物は右足左足用で１足であるが履物の底部は左右対称である為図面は右足用のみとする。
【符号の説明】
１は  硬めのクッション製の底部である。
２は  滑り止めのゴム製の底部である
【図１】
2005246024.tif 000004
【図２】
2005246024.tif 000005
【図３】
2005246024.tif 000006
(57)【要約】【課題】  室内において多目的な役割を担う置物を提供する。【解決手段】  透明な板を２枚合わせ、表板の下部両端に２本のＬ字型の紙押さえを設け、裏板の背面には、２枚板を支える支え板を設けたことを特徴とする多目的インテリア置物。【選択図】  図２
2005246023.tif 000002
【特許請求の範囲】
【請求項１】
透明な板を２枚合わせ、表板の下部両端に２本のＬ字型の紙押さえを設け、裏板の背面には、２枚板を支える支え板を設けたことを特徴とする多目的インテリア置物。
【発明の詳細な説明】
【技術分野】
【０００１】  本発明は、室内において多目的な役割を担う置物に関するものである。
【背景技術】
【０００２】  従来、室内の置物は目的を限定するものが多く、実用性とデザイン性のどちらかに偏っている。
【発明の開示】
【発明が解決しようとする課題】
【０００３】  そのために、次のような問題点があった。
（イ）一つの目的の為に作られているので汎用性がなく、さまざまな形状の置物が部屋の中に増えてしまう。
（ロ）実用性とデザイン性の双方を兼ね備えているものが無い。
（ハ）目的が限定されている為に、使用する対象の人が限定されてしまう。
本発明は、これらの問題点を解決する為になされたものである。
【課題を解決するための手段】
【０００４】  透明な板を２枚合わせ、表板の下部両端に２本のＬ字型の紙押さえを設け、裏板の背面には、２枚板を支える支え板を設けたことを特徴とする多目的インテリア置物。
【発明の効果】
【０００５】  この多目的インテリア置物一つで、室内のデザイン性の向上と実用性（日常の不便さの解消、物の整理）を兼ね、また使用する人を選ばない為ギフト用品等にも使用できる。
【発明を実施するための最良の形態】
【０００６】  以下、本発明の実施の形態について説明する。
（イ）透明なアクリルのような素材を２枚合せ、四隅をネジ等の留め具Ａ（３）で固定した板状の表板（１）の下部の両端にそれぞれ、同じくアクリルのような素材で２本のＬ字型の紙押え（４）を設ける。
（ロ）表板（１）の下部には、例えばスワロフスキーのようなさまざまな色に光るガラスを散りばめた装飾体（７）を設け、またその部分に任意の文字（８）を入れ、ノベルティとして使用することもできる。
（ハ）裏板（２）の背面は表板（１）と同じアクリルのような素材で、支え板（５）によって立脚させる。その支え板（５）の上部先端に蝶番、ネジ等の留め具Ｂ（６）を装着し、支え板（５）が折りたたみ自由になるようにする。尚、図面においては、支え板（５）が一定の角度によって２枚板を支えているが、留め具Ｂ（６）を任意の角度にして、２枚板の視角角度を変更することができる。
（二）本発明の部材の素材は留め具Ａ（３）、留め具Ｂ（６）以外はアクリル、アクリルミラー又はアクリルのような素材であり、色は無色透明やカラーの透明でも良い。
本発明は以上のような構成で、これを使用するときは、支え板（５）に角度をつけ、２枚板が斜めに立つように設定し、以降実施例のように使用される置物である。
【実施例１】
【０００７】  表板（１）と裏板（２）の間に、お気に入りの写真や絵葉書等を挟み、フォトフレームとして使用する。（デザイン性）
【実施例２】
【０００８】  表板（１）と紙押え（４）の間に本を広げて入れ、手を使わず読書や勉強の道具として使用できる。（実用性）
【実施例３】
【０００９】  表板（１）と紙押え（４）の間に読書の途中の本を閉じて入れ、意図的に表紙を見せ、飾る。また、ＣＤ等を置き、ジャッケットを見せ、飾る。（デザイン性）
【実施例４】
【００１０】  表板（１）と紙押え（４）の間に郵便物等を入れ、ちょっとした整理道具として使用する。（実用性）
【実施例５】
【００１１】  表板（１）の表面中央に鏡（９）を埋め込み、化粧鏡として使用する。（実用性、デザイン性）
【図面の簡単な説明】
【００１２】
【図１】本発明の斜視図
【図２】本発明の使用状態を示す側面図
【図３】本発明の実施例１
【図４】本発明の実施例２
【図５】本発明の実施例３
【図６】本発明の実施例４
【図７】本発明の実施例５
【符号の説明】
【００１３】    １  表板
２  裏板
３  留め具Ａ
４  紙押さえ
５  支え板
６  留め具Ｂ
７  装飾体
８  任意の文字
９  鏡
【図１】
2005246023.tif 000003
【図２】
2005246023.tif 000004
【図３】
2005246023.tif 000005
【図４】
2005246023.tif 000006
【図５】
2005246023.tif 000007
【図６】
2005246023.tif 000008
【図７】
2005246023.tif 000009
(57)【要約】【課題】    洗濯物を挟みやすく、又は外しやすくするための、スライド式洗濯バサミを提供する。【解決手段】    くの字に曲げたクリップにパイプを装着し、パイプがスライドするのと連動してクリップが開閉することを特徴とする、スライド式洗濯バサミである。【選択図】図１
2005246015.tif 000002
【特許請求の範囲】
【請求項１】
くの字に曲げたクリップにパイプを装着し、パイプがスライドするのと連動してクリップが開閉することを特徴とする、スライド式洗濯バサミである。
【発明の詳細な説明】
【技術分野】
【０００１】  本発明は、洗濯物を挟みやすく又は外しやすくするための、スライド式洗濯バサミに関するものである。
【背景技術】
【０００２】  従来は、洗濯バサミから衣類を外すときは、指先で洗濯バサミ本体をつまんで引き抜い  ていた。
【発明の開示】
【発明が解決しようとする課題】
【０００３】  そのために次のような問題点があった。
（イ）    指先で洗濯バサミ本体をつまみ引き抜くので、指にケガをしている場合指先に          力が入りにくく洗濯物が外しにくかった。
（ロ）    洗濯バサミのバネがかたいときは、はさみが開きにくく、はさみ本体が割れた          りバネが外れたりした。
本発明は、以上の問題点を解決するためになされたものである。
【課題を解決するための手段】
【０００４】  くの字に曲げたクリップにパイプを装着する、パイプがスライドするのと連動してクリップが開閉する。
以上を特徴とするスライド式洗濯バサミである。
【発明の効果】
【０００５】  指に力を入れなくても、簡単に洗濯バサミから衣類を外すことができ、洗濯バサミ本体もこわれにくくなる。
【発明を実施するための最良の形態】
【０００６】  以下、本発明の実施の形態について説明する。
（イ）クリップ本体に（１）につまみ（４）と吊りひも（３）を設ける。
（ロ）パイプ（２）につまみ（４）が入る穴（５）を設ける。
本発明は以上の構成よりなっている。
本発明を使用するときは、クリップ（１）に吊りひも（３）を通してパイプ（２）の穴（６）から吊りひも（３）をだし、物干し竿にぶらさげる、クリップ（１）の上からパイプ（２）を押し込む、パイプ（２）を入れると同時にクリップ（１）が閉じ洗濯物を挟む。
クリップ（１）から洗濯物を外すときは、パイプ（２）の穴（５）に入っているつまみ（４）を押す、すると、クリップ（１）の力でパイプ（２）が上へスライドし、クリップが開く。
【図面の簡単な説明】
【０００７】
【図１】本発明の斜視図
【図２】本発明の分解斜視図
【符号の説明】
【０００８】    １    クリップ
２    パイプ
３    吊りひも
４    つまみ
５    穴
６    穴
【図１】
2005246015.tif 000003
【図２】
2005246015.tif 000004
(57)【要約】【課題】  この発明は，弾力性のあるゴム素材パイプによる打ちぬくポイントが２ケ所ある野球の素振りの基本を身につけることのできる野球の素振り練習に使用する用具に関するものである。【解決手段】  鉄パイプを加工したフレーム（１）に弾力性のあるゴム素材パイプ（２）を上，下４ケ所にバンド（３）により取りつけた。上，下に取りつけた弾力性のあるゴム素材パイプ（２）のあいだにわずかなすきまの打ちぬくポイント（４）を２ケ所設けた。まず，手前のわずかなすきまの打ちぬくポイント（４）にバットを打ち込み，さらにその先のふたつめのわずかなすきまの打ちぬくポイント（４）を打ちぬくことで，自然と基本に正しい素振りができるようになる。【選択図】  図１
2005246020.tif 000002
【特許請求の範囲】
【請求項１】
（イ）  鉄パイプをネジ加工または溶接加工によりフレーム（１）をつくる。
（ロ）  フレーム（１）の先に弾力性のあるゴム素材パイプ（２）を上，下４ケ所にバンド（３）でとりつける。
（ハ）  上，下にとりつけたゴム素材パイプ（２）のあいだにわずかなすきまをあけ打ちぬくポイント（４）を２ケ所設ける。
（ニ）  打ちぬくポイント（４）の高さをかえれるようにスライドさせてボルト，ナット（５）により固定する箇所を設ける。
（ハ）  一人でも使用できるようアンカー（６）で固定できる箇所を設ける。
以上の如く構成された，野球の素振り練習に使用する用具。
【発明の詳細な説明】
【発明の詳細な説明】
【技術分野】
【０００１】  この発明は，鉄パイプを加工したフレーム（１）の先に上，下に取りつけたゴム素材パイプ（２）のわずかなすきまの打ちぬくポイント（４）が２ケ所ある野球の素振り練習に使用する用具に関するものである。
【従来の練習方法】
【０００２】  従来の素振りの練習は，自分でボールがあるものと想像して振っていた。しかし，実際の目標物がないため，せっかくの素振りの練習が空振りの練習になってしまっている場合が多くみられる。
又，単純な練習なので，すぐあきてしまい，いいかげんな素振りになってしまう。古タイヤをたたく練習もあるが，たたく練習にはなるがバットを振りぬく練習にはならない，そのうえバットにキズ，へこみをつけるだけでなく大切な手首をいためてしまうこともすくなくない。
【発明が解決しようとする課題】
【０００３】  本発明は，従来の素振り練習方法の欠点をなくすために，まず基本となる正確な素振りを，あきることなく，そしてバットや手首などをいためることのない練習用具はないものかと研究をすすめた。
それには，目標物があり，最後までむりなく振りぬくことのできる用具が必要と考え試作品をなんどもつくり，さらに研究をかさねた。
【課題を解決するための手段】
【０００４】  目標物があり，最後まで振りぬくための用具には２ケ所の打ちぬくポイントが必要だと発見した。
そして，打ちぬくポイントの素材は弾力性があるゴム素材パイプが最適であることを見つけだした。弾力性があるゴム素材を打ちぬく時の適度な手ごたえと音が出ることで子供達が興味をもち素振りをしだし，スムーズな素振りができるようになってゆくことをスポーツ少年団認定員として子供達を指導しながら確信をもった。
【発明を実施するための最良の形態】
【０００５】  本発明を実施するために，まず鉄パイプをネジ加工または溶接加工によりフレーム（１）のように加工し，そして弾力性のあるゴム素材のパイプ（２）を上、下４ケ所にバンド（３）で取付け，わずかなすきまの打ちぬくポイント（４）を２ケ所つくった。また，アンカー（６）で固定することで，ひとりでも使用できるようにした。身長により打ちぬくポイントの高さをスライドさせ，ボルト，ナット（５）で固定することでかえることができるようくふうした。
本発明は以上のような構成であるから目標物を見て素振りができ，バット，手首などをいためることなく素振りの練習をすることができる。
【発明の効果】
【０００６】  本発明は以上のような構成なので，基本にせいかくな素振りをしないと２ケ所のわずかなすきまの打ちぬくポイント（４）を打ちぬくことはできない。
まず，手前のわずかなすきまの打ちぬくポイント（４）にバットを打ち込み，さらにその先の，ふたつめのわずかななすきまの打ちぬくポイント（４）を打ちぬくことで基本にせいかくな素振りを身につけることができる。この２ケ所のわずかなすきまの打ちぬくポイント（４）を強く打ちぬくことでボールを確実にとらえ，強い打球を打つことが出きるようになる。
本発明を使用することで，から振りの練習をなくし，正しい素振りの練習をすることができる。又，本発明を使用することで指導者はてきかくな指導をすることができる。
本発明は，適度な手ごたえと音がでることで集中した素振り練習ができ小学校，中学校，高校，大学，そしてプロ野球選手へと夢をおいかける野球の大好きな選手達のバッティングの基礎を身につけることのできる野球の素振り練習に使用する用具である。
【図面の簡単な説明】
【図１】  本発明の斜視図
【図２】  本発明の正面図
【図３】  本発明の側面図
【符号の説明】
１は鉄パイプを加工したフレーム
２はゴム素材パイプ
３はバンド
４は打ちぬくポイント
５はボルト，ナット
６はアンカー
【図１】
2005246020.tif 000003
【図２】
2005246020.tif 000004
【図３】
2005246020.tif 000005
(57)【要約】【課題】  電源が必要なマイナス電位効果を、コードレスタイプにするのが課題である。【解決手段】  蓄電器をマイナス高圧電源により蓄電し、その蓄電器のマイナス側を電極に接続し、マイナス電位をコードレスにて、一定時間保持させるものである。【選択図】  図１
2005246017.tif 000002
【特許請求の範囲】
【請求項１】
蓄熱材３による温熱器に蓄電器８を組み入れ、蓄熱材３を内蔵ヒーター４にて畜熱時に、同時にマイナス高圧１５により蓄電器８を蓄電、蓄電器８のマイナス側を電極７に接続、その電極７と帯電率の高い樹脂板６を重ねて用いる、蓄熱・蓄電コードレス・マイナス電位温熱器。
【請求項２】
請求項１に記載の電極７が、帯電率の高い樹脂板６の片面に金属コーティングしてなる、畜熱・蓄電コードレス・マイナス電位温熱器。
【請求項３】
請求項１に記載の蓄電器８を組み入れた蓄熱材３において、蓄熱材３に内蔵せる畜熱用ヒーター４の電源と、蓄電器８の蓄電用マイナス高圧１５とを着脱自在とし、畜熱・蓄電完了後にコードレスとして使用する、畜熱・蓄電コードレス・マイナス電位温熱器。
【発明の詳細な説明】
【技術分野】
【０００１】  マイナス電位によるマイナス電位効果を期待する場合、従来よりの電位治療器のように常に電源を使用する必要が有り、これをコードレスにするには無理があった、本発明のものは、通常は電源の必要なマイナス電位効果を、コードレスにて実現しょうとするものである。
【背景技術】
【０００２】  従来より蓄熱材使用の温熱器には、磁力効果を狙った磁石、他にマスナスイオンを放射すると言われる、種々の鉱物を原料とした塗料を使用し、マイナスイオン効果を付加したものが製品化され、これらは特に電源を必要としないので、コードレスタイプにした物が多く製品化されている。【０００３】  このイオン放射鉱物を原料とした放射マイナスイオンは、温熱器のように袋等に入れて使用する場合、遮蔽する物によっては、放射量が著しく減衰する欠点を有する。
【発明の開示】
【発明が解決しょうとする課題】
【０００４】  本発明が解決しょうとする課題は、遮蔽物により減衰の激しい、イオン放射鉱物を原料とする物を使用せず、又どうしても電源が必要なマイナス電位を、コードレスにしょうとするものである。
【課題を解決するための手段】
【０００５】  この課題を解決する手段として、本発明のものは、電源を使用せずにマイナス高圧を、長時間保持させるのが条件であるので、このマイナス高圧を蓄電することで解決しょうとするものである。
【発明の効果】
【０００６】  発明の効果としては、従来では不可能であったマスナス高圧電位を、蓄電器に蓄電させるので、製品をコードレス化する事を可能とした。
【発明を実施するための最良の形態】
【０００７】  蓄熱材による温熱器内に組み入れ可能な、小形高耐圧高性能の蓄電器（コンデンサー）が必用であり、これを使用するのが必須条件である。
【実施例】
【０００８】  最近よく使用されている、マイナスイオン放射鉱物を原料とした、マイナスイオン塗料により、遮蔽物による減衰をテストし、イオン塗料を１．５ｍｍ厚で乾燥したものを使用、放射イオン測定機ＥＢ−１２Ａにより測定。
０）遮蔽物無しで測定                      −３０８ｉｏｎｓ／ｃｃ
１）遮蔽物（紙１ｍｍ厚）                  −１０８ｉｏｎｓ／ｃｃ
２）遮蔽物（ベニヤ板２ｍｍ厚）              −９０ｉｏｎｓ／ｃｃ
３）遮蔽物（樹脂板０．８ｍｍ厚）            −９９ｉｏｎｓ／ｃｃ
４）遮蔽物（布１．５ｍｍ厚）                −７２ｉｏｎｓ／ｃｃ
５）遮蔽物（ビニールシート０．５ｍｍ厚）    −２１ｉｏｎｓ／ｃｃ
前記のように放射イオンは遮蔽物により、大きく減衰することがわかる。【０００９】  これに対してマイナス電位は、遮蔽物による減衰がほとんど無いので、温熱器のような布袋に入れて使用するものには適している。  図１に図示せるものは本発明のコードレス・マイナス電位温熱器の断面図で、図２はその説明図である。蓄熱材３を入れるケース２は、耐熱樹脂又は金属にてこれを作り、蓄熱材３の畜熱用ヒーター４をその内部に内蔵したものである、このケース２を外ケース１に入れ、マイナス電位用の蓄電器８をそのケース内に有するもので、蓄熱材ケース２の上面に、マイナス電極７及び帯電率の高い樹脂板６を、固定した構造のものである。【００１０】  図２は電気的接続状態の説明図で、電源接続端子の９は商用電源１００Ｖ用で、マイナス高圧接続端子１０はマイナス高圧電源１５用である。  １００Ｖ電源は蓄熱材３の畜熱用ヒーター４を加熱する目的のもので、マイナス高圧１５は蓄電器８の片方に、蓄電器８の他の片方は１００Ｖ電源９の片方に接続しているが、高圧１５にアースリードがあればこれに接続、蓄電器８のマイナス側は電極７に接続する。  この蓄電器８は蓄熱材３を蓄熱時に蓄電される。  蓄熱・蓄電が終了すれば図３に図示せる電源部１２は、本体１から外されコードレスとなるので、蓄電器８に蓄電されたマイナス高圧は、電極７に蓄電し保持される。【００１１】  蓄熱された温度は温度計にて常に測定可能であるが、蓄電されたマイナス高圧は電圧計で測定すると、電圧計を通して放電するので測定する事が出来ない。
それ故今回は蓄電されたマイナス電位を、間接的に誘電測定することで蓄電保持時間をテストしたので、数値で表示することが出来なかったが、遮蔽物による電位の減衰はみられなかった。今回テストに使用したマイナス高圧は−３ＫＶで、蓄電器８は３ＫＶ耐圧で絶縁抵抗の高い製品を使用した。  このテストでは２０時間の蓄電保持を確認出来たので、蓄熱材３による温熱器と組み合わせ充分使用可能である、電極７に併用している帯電性の高い樹脂板６は、温熱器を使用時に蓄電された電位が、衣服に触れて放電するのを防止する目的のものである。【００１２】  図３は蓄熱・蓄電用電源１２で、１３は商用１００Ｖ電源接続用、１４はマイナス高圧接続用で、１７は電源コード、１８は電源プラグで、１５はマイナス高圧プロックである。  この電源１２は蓄熱・蓄電終了後には外してコードレスとして使用する。１１は蓄熱・蓄電完了を知らせるランプで、定時間タイマーにより作動させる。
【産業上の利用可能性】
【００１３】  マイナス電位付きの温熱器を、コードレスにて使用を可能にするものである。
【図面の簡単な説明】
【００１４】
【図１】  本発明の断面図を示すものである。
【図２】  図１の電気回路説明図を示すものである。
【図３】  畜熱・蓄電用電源部の説明図を示すものである。
【符号の説明】
【００１５】１  外ケース
２  蓄熱材ケース
３  蓄熱材
４  畜熱ヒーター
５  ヒーター保持部
６  帯電樹脂
７  マイナス電極
８  蓄電器
９  電源接続端子
１０  マイナス高圧接続端子
１１  畜熱終了ランプ
１２  電源部外ケース
１３  １００Ｖ電源接続端子
１４  マイナス高圧接続端子
１５  マイナス高圧ブロック
１６  マイナス高圧出力
１７  電源コード
１８  １００Ｖ電源接続プラグ
【図１】
2005246017.tif 000003
【図２】
2005246017.tif 000004
【図３】
2005246017.tif 000005
(57)【要約】【課題】    本発明の小型オゾン水生成機は現在、使い勝手の良い自在に移動できる良質な、小型オゾン水生成機の開発が課題とされている現況にある。【解決手段】    本発明の小型オゾン水生成機は水道用水等の圧出水を用いてオゾンガスを接合混成し、オゾン水を生成する機構と成すものであって、上記圧出水とオゾンガスの混成をフロート方式、即ち球形状のフロートバルブを用いてコントロールする全く新規なオゾン水を得る制御方式を手段とするものである。【選択図】    図１
2005246360.tif 000002
【特許請求の範囲】
【請求項１】
通常水道水にオゾン化ガスを接合混成させて発生するオゾン水生成機において、
通常都市水道圧水等の水道供給機構とオゾン化ガス供給機構を具備したケーシングを小型軽量化したオゾン水生成機であって、上記水道水とオゾンガスの接合混成をフロートバルブを用いて気液混合器内で実施する容易に移動可能な小型オゾン水生成機。
【請求項２】
上記、小型オゾン水生成機において、溶存オゾンガス脱気タンク内においてもフロートバルブをもちいる請求項１に記載の小型オゾン水生成機。
【発明の詳細な説明】
【技術分野】
【０００１】  本発明は、洗滌、殺菌、消毒、脱臭、脱色等に極めて広域に用いられているオゾン水を生成するためのオゾン水生成機に関するものである。
【背景技術】
【０００２】  従来のオゾン水生成機構では貯留水タンクに溜めた水を吸入加圧して一定圧の水圧水を気液混合器内に導入する必要があり大型な機構とならざるを得なかった。【０００３】  近年、オゾン水を用いて食品工場、動物飼育施設、農家等にあっては、野菜の洗浄殺菌、病院等では医療器具の消毒等に使用されている。【０００４】  従って使い勝手の好い移動できる良質な小型オゾン水生成機の開発が要望されている現況にある。【０００５】  近来、水道水を直接用いてオゾンガスとを接合混成させてオゾン水の生成機が開発開示されているが、水道水の圧力の差違を制御するため複雑な構造にならざるを得ない必然性有した。【０００６】
【特許文献１】        特開２００３−３２０２３２
【特許文献２】        特開２００３−３０６３１８
【発明の開示】
【発明が解決しようとする課題】
【０００７】  以上に記述の通り本発明は、従来例に存しない極めて容易に移動可能な軽量小型化された使い勝手の良好な多目的に自在に使用できるオゾン水生成機を得ることを目的とするものである。
【課題を解決するための手段】
【０００８】  本発明の小型オゾン水生成機は水道用水等の圧出水を用いてオゾンガスを接合混成し、オゾン水を生成する機構と成すものであって、上記圧出水とオゾンガスの混成をフロート方式、即ち球形状のフロートバルブを用いてコントロールする全く新規なオゾン水を得る制御方式を手段とするものである。【０００９】  更にオゾン水中に溶解過多となった排オゾンに係るガス抜きタンク内に上記、フロートバルブを使用することによって、極めて容易にオゾンガスがオゾン溶解液と酸素等に分解されるものである。
【発明の課題】
【００１０】  以下本発明の実施の形態を添付図面に基づいて説明する。
【００１１】  図においては、１は無声放電式オゾン発生器、２は、各種水道等からの圧出水、３は、気液混成器、４．４′はフロート式バルブ、５は溶存ガス抜きタンク、６はオゾンガス分解器、７は水中に混成されたオゾン水の放出口である。
【００１２】  以下、上記の構成を作用と共に該動作を説明する。
【００１３】  オゾンガス発生器１より送ガス管を経て気液混成器３に至る。一方都市水道水等の加圧された圧出水２が水道管より気液混成器３に至る。
【００１４】  気液混成器３の内部には円筒形状の筒体の下端部弁座を有した球体状の円型フロートバルブ４が挿設されており、気液混成器３内に圧出水２が充填されフロートバルブ４が作動し、閉止されている。次にオゾンガス発生器２よりガスが加圧され、給送されるとフロートバルブ４が下方に押下されオゾンガスが圧出水２と接合し、該圧出水２と混成されてオゾン水が生成される。
【００１５】  圧出水２が高圧力の場合通常０．２ＭＰａ〜０．５ＭＰａ時、該圧力に応じてオゾンガスの給送圧の上、下に変移動作によって自在に調整できるものである。即ち、従来圧出水２の調圧、オゾンガスの給圧に電磁弁、逆止弁等を不用とし、更に気液混成器３に発生する圧出水２による気液混成器３に係る逆流破損、又、排オゾンガス抜きタンク５内に挿設されたフロートバルブ４の作用によって、従来使用されていた逆止弁等が不用となる効果を有する。
次に気液混成器３で生成されたオゾン含有水７は、オゾン溶存ガス抜きタンク５に導入し必要外の残存ガスを除去する該タンクに挿設されたフロートバルブ４′を通過した排オゾンガスのみをオゾンガス分解器６内で酸素等に分解され放散される構成としたものである。
【産業上の利用可能性】
【００１６】  上述したように、本発明の小型オゾン水生成機は現在、使い勝手の良い移動できる良質な、小型オゾン水生成機の開発が要望されている現況にある。
【図面の簡単な説明】
【００１７】
【図１】  図１は、本発明の実施形態を示す小型オゾン水生成機の一部を断面とした説明図である。
【符号の説明】
【００１８】１…オゾンガス発生器
２…水道水等の圧出水
３…気液混成器
４、４′…フロートバルブ
５…排オゾンガス抜きタンク
６…オゾンガス分解器
７…オゾン含有水。
【図１】
2005246360.tif 000003
(57)【要約】【課題】指定の書類などの指定された場所に文字や図などを印刷する際に、スキャナなどのイメージ入力装置を利用しなくても、印刷の位置決めを容易にできるように、印刷の位置決めプログラムを提供する。【解決手段】ＯＨＰシートや紙などに、グリッド線などの座標を特定できる物を印刷し、そのシートを印刷したい用紙に重ね合わせ、印刷したい場所の座標を読み取り、その座標を入力、もしくは、指定することにより任意の場所に印刷する際の位置決めし、任意の場所に、文字や図を印刷することを実現した。【選択図】図１
2005246620.tif 000002
【特許請求の範囲】
【請求項１】
ＯＨＰシートや紙などに、グリッド線などの座標を特定できる物を印刷し、そのシートを印刷したい用紙に重ね合わせ、印刷したい場所の座標を読み取り、座標を入力又は指定する事により、任意の場所に印刷の位置決めをできるようにした印刷の位置決めプログラム。
【発明の詳細な説明】
【技術分野】
【０００１】
本発明は、画像や文書を印刷する際の印刷制御プログラムに関する。
【従来の技術】
【０００２】
従来は、指定の書類などの指定された場所に文字や図などを印刷する際の印刷の位置決めにスキャナなどのイメージ入力装置を用いて、画像を入力し印刷の位置決めを行う物があった。
【発明の開示】
【発明が解決しようとする課題】
【０００３】
しかしながら、このような技術においてはスキャナなどのイメージ入力装置がない場合は使用できない。
【０００４】
また、スキャナ（イメージ入力装置）などやプリンタ（印刷機・出力装置）などのメーカ・機種などにより入力時や印刷時にズレが生じるためズレのない位置等を指定することは困難となる問題がある。
【課題を解決するための手段】
【０００５】
グリッド線など座標の特定できる物を印刷し、そのシートを印刷したい用紙に重ね合わせ、座標を入力又は指定することにより、スキャナなどのイメージ入力装置を利用しなくても任意の場所に文字や図などをズレなく印刷できることを特徴とした。
【０００６】
グリッド線など座標の特定できる物と位置決めをして印刷したい指定の書類などを、同じプリンタ（印刷機・出力装置）などにて、印刷することにより、印刷時のズレがないことを特徴とした。
【発明の効果】
【０００７】
従来は、指定の書類などの指定された場所に文字や図などを印刷したい場合手書き又は、スキャナなどのイメージ入力装置を用いて印刷の位置決めをして印刷していたが、本発明によりスキャナなどのイメージ入力装置を使用しなくても印刷の位置決めを簡単にできるためスキャナなどのイメージ入力装置を準備しなくても良い様にした。しかも、グリッド線などの座標を特定できる物と、位置決めした文字や図の印刷を同じ印刷機（出力装置）などですることにより、メーカ・機種など違いによる印刷がズレないことを特徴とした。
【発明を実施するための最良の形態】
【０００８】
ＯＨＰシートや紙などに、グリッド線などの座標を特定できる物を印刷し、そのシートを印刷したい用紙に重ね合わせ、印刷したい場所の座標を読み取り、その座標を入力、もしくは、指定することにより任意の場所に文字や図を印刷する際の位置決めを実現した。
【図面の簡単な説明】
【０００９】
【図１】グリッド線など座標を特定できる物の例
【図１】
2005246620.tif 000003